(57)【要約】【課題】  車載機器が利用する情報を容易に登録し得るようにする。【解決手段】  非接触ＩＣカードキー３にドアロックを解除するための鍵情報と、ナビゲーション装置ＮＶがルート検索に利用するドライブ情報とを記憶させ、自動車２のリーダ／ライタＲＷ１に当該非接触ＩＣカードキー３がかざされると、リーダ／ライタＲＷ１がこの鍵情報とドライブ情報とを読み出し、鍵情報をＥＣＵ１０に転送すると共に、ドライブ情報をナビゲーション装置ＮＶに転送するようにした。これにより自動車２のドアロックの解除と、ナビゲーション装置ＮＶに対するドライブ情報の転送とを一度の操作で処理することができ、かくしてナビゲーション装置ＮＶが利用するドライブ情報をナビゲーション装置ＮＶに容易に登録することができる。【選択図】          図１４
2005330777.tif 000002
【特許請求の範囲】
【請求項１】
接近する第１の記憶媒体を有する記憶媒体内蔵デバイスと通信する通信手段と、
車載機器により利用可能な情報を記憶する第２の記憶媒体と、
上記通信手段を介して上記第１の記憶媒体より受信した情報に基づき認証する認証手段と、
上記第１の記憶媒体は、車両制御用鍵情報を記憶する第１の領域と上記車載機器により利用可能な情報を記憶する第２の領域とを有し、上記認証手段による認証結果に応じて、上記第２の記憶媒体に記憶される上記車載機器により利用可能な情報を、上記第１の記憶媒体の上記第２の領域に書き込むことを要求する書込要求情報を上記通信手段を介して送信する書込手段と
を具えることを特徴とする書込装置
【請求項２】
上記車載機器により利用可能な情報は、
行き先を示すドライブ情報を含む
ことを特徴とする請求項１に記載の書込装置。
【請求項３】
上記車載機器により利用可能な情報は、
上記車載機器が遠隔サーバ又は自身の記憶媒体に記憶されるコンテンツデータにアクセスするためのアクセス権情報を含む
ことを特徴とする請求項１に記載の書込装置。
【請求項４】
接近する記憶媒体内蔵デバイスと通信する通信手段と、
上記通信手段を介して上記記憶媒体内蔵デバイスより受信した情報に基づき認証する認証手段と、
上記認証手段による認証結果に応じて、上記記憶媒体内蔵デバイス内の記憶媒体に記憶されるユーザ情報、少なくとも車両のドアロックを解除するための鍵情報を含む車両制御用鍵情報、及び車載機器により利用可能な情報を読み出す読出手段と、
上記読出手段により読み出された上記ユーザ情報及び上記車両制御用鍵情報を車両の動作を制御する車両制御手段に転送し、上記車載機器により利用可能な情報を上記車両制御手段及び車載機器を制御する車載機器制御手段のうちの少なくとも何れか一方に転送する転送手段と
を具えることを特徴とする情報処理装置。
【請求項５】
上記車両制御手段と、
上記車両制御手段の制御に基づき読み書きされ、当該車両の所有者を表すユーザ情報と、複数の車両制御用鍵情報とを蓄積する蓄積手段とを具え、
上記車両制御手段は、
上記転送手段により転送されたユーザ情報と、上記蓄積手段により蓄積されるユーザ情報とを比較するユーザ情報比較手段と、
上記転送手段により転送された車両制御用鍵情報と、上記蓄積手段により蓄積される車両制御用鍵情報とを比較する車両制御用鍵情報比較手段とを有し、
上記車両制御手段は、上記ユーザ情報比較手段と上記車両制御用鍵情報比較手段による比較結果に応じて、上記車両制御用鍵情報に基づき車両の動作を制御する
ことを特徴とする請求項４に記載の情報処理装置。
【請求項６】
上記車両制御用鍵情報は、
上記車載機器を起動する車載機器起動鍵情報を有し、
上記車両制御手段は、
上記車載機器起動鍵情報に基づき、上記車載機器を起動する
ことを特徴とする請求項５に記載の情報処理装置。
【請求項７】
上記車両制御用鍵情報は、
エンジンを起動するエンジン起動鍵情報を有し、
上記車両制御手段は、
上記エンジン起動鍵情報に基づき、上記車両に搭載されるエンジンを起動する
ことを特徴とする請求項５に記載の情報処理装置。
【請求項８】
車載機器を制御する車載機器制御手段と、
上記車載機器制御手段の制御のもと、入力された情報を再生する再生手段と
を具えることを特徴とする請求項４に記載の情報処理装置。
【請求項９】
上記再生手段は、
上記転送手段により転送された車載機器により利用可能な情報であるコンテンツデータを再生する
ことを特徴とする請求項８に記載の情報処理装置。
【請求項１０】
上記転送手段により転送された車載機器により利用可能な情報は、
上記車載機器制御手段と通信可能な記憶媒体に記憶されるコンテンツデータに対するアクセス権を示すアクセス権情報を含み、
上記車載機器制御手段は、
上記アクセス権情報に基づき、上記通信可能な記憶媒体に記憶されるコンテンツデータを取得し、
上記再生手段は、
上記車載機器制御手段により取得されたコンテンツデータを再生する
ことを特徴とする請求項８に記載の情報処理装置。
【請求項１１】
上記通信可能な記憶媒体は、
上記車両内の記憶媒体である
ことを特徴とする請求項１０に記載の情報処理装置。
【請求項１２】
上記通信可能な記憶媒体は、
外部記憶媒体である
ことを特徴とする請求項１０に記載の情報処理装置。
【請求項１３】
上記転送手段により転送された車載機器により利用可能な情報は、
行き先データを含み、
上記車載機器制御手段は、
経路検索手段を有し、
上記経路検索手段は、
上記行き先データに基づき、現在位置から上記行き先データまでの経路情報を検索する
ことを特徴とする請求項８に記載の情報処理装置。
【請求項１４】
上記記憶媒体内蔵デバイス内の記憶媒体は、
車両制御用鍵情報を記憶するための第１のサービス領域と、当該第１のサービス領域にアクセスするための認証に利用する第１の認証用コードを記憶する第１のサービス定義領域と、車載機器により利用可能な情報を記憶するための第２のサービス領域と、当該第２のサービス領域にアクセスするための認証に利用する第２の認証用コードを記憶する第２のサービス定義領域とを有し、
上記認証手段は、
上記第１の認証用コードと上記第２の認証用コードとが合成された合成鍵情報に基づき認証し、
上記読出手段は、
上記認証手段による認証結果に応じて、上記第１のサービス領域と上記第２のサービス領域から情報の読み出しが可能となる
ことを特徴とする請求項４に記載の情報処理装置。
【請求項１５】
車両制御用鍵情報を記憶するための第１のサービス領域と、当該第１のサービス領域を識別するための第１のサービス領域識別コードと第１の認証用コードとを記憶すると共に上記第１のサービス領域を管理する第１のサービス定義領域と、車載機器により利用可能な情報を記憶するための第２のサービス領域と、当該第２のサービス領域を識別するための第２のサービス領域識別コードと第２の認証用コードとを記憶すると共に上記第２のサービス領域を管理する第２のサービス定義領域とを有する記憶媒体と、
外部機器と非接触通信を行う通信手段と、
上記通信手段を介して上記外部機器より受信したデータと上記第２の認証用コードとに基づき認証する認証手段と、
上記認証手段による認証結果に基づき、上記外部機器より受信した上記第２のサービス領域に対するデータ書込要求に応じて、上記第２のサービス領域に上記車載機器により利用可能な情報を書き込む書込手段と
を具えることを特徴とする記憶媒体内蔵装置。
【請求項１６】
上記認証手段による認証結果に応じて、上記外部機器より受信した上記第１及び第２のサービス領域に対するデータ読出要求に基づき、上記第１及び第２のサービス領域に記憶される上記車両制御用鍵情報及び上記車載機器により利用可能な情報を読み出す読出手段を具え、
上記通信手段は、
上記読出手段により読み出された上記車両制御用鍵情報及び上記車載機器により利用可能な情報を上記外部機器に対して送信する
ことを特徴とする請求項１５に記載の記憶媒体内蔵装置。
【請求項１７】
上記認証手段は、
上記第１の認証用コードと上記第２の認証用コードとが合成された合成鍵情報に基づき認証し、
上記読出手段は、
上記認証手段による認証結果に応じて、上記第１のサービス領域と上記第２のサービス領域から情報の読み出しが可能となる
ことを特徴とする請求項１６に記載の記憶媒体内蔵装置。
【請求項１８】
接近する記憶媒体内蔵デバイスと通信する通信手段と、
上記通信手段を介して上記記憶媒体内蔵デバイスより受信した情報に基づき認証する認証手段と、
上記認証手段による認証結果に応じて、上記記憶媒体内蔵デバイス内の記憶媒体に記憶されるユーザ情報、少なくとも車両のドアロックを解除するための鍵情報を含む車両制御用鍵情報、及び車載機器により利用可能な情報を読み出す読出手段と、
上記読出手段により読み出された上記ユーザ情報及び上記車両制御用鍵情報を車両の動作を制御する車両制御手段に転送し、上記車載機器により利用可能な情報を上記車両制御手段及び車載機器を制御する車載機器制御手段のうちの少なくとも何れか一方に転送する転送手段と
を具えることを特徴とする車両。
【請求項１９】
接近する第１の記憶媒体を有する記憶媒体内蔵デバイスと通信する通信ステップと、
上記通信ステップで上記第１の記憶媒体より受信した情報に基づき認証する認証ステップと、
上記第１の記憶媒体は、車両制御用鍵情報を記憶する第１の領域と上記車載機器により利用可能な情報を記憶する第２の領域とを有し、上記認証ステップでの認証結果に応じて、第２の記憶媒体に記憶される車載機器により利用可能な情報を、上記第１の記憶媒体の上記第２の領域に書き込むことを要求する書込要求情報を送信する書込ステップと
を具えることを特徴とする書込方法。
【請求項２０】
接近する記憶媒体内蔵デバイスと通信する通信ステップと、
上記通信ステップで上記記憶媒体内蔵デバイスより受信した情報に基づき認証する認証ステップと、
上記認証ステップでの認証結果に応じて、上記記憶媒体内蔵デバイス内の記憶媒体に記憶されるユーザ情報、少なくとも車両のドアロックを解除するための鍵情報を含む車両制御用鍵情報、及び車載機器により利用可能な情報を読み出す読出ステップと、
上記読出ステップで読み出された上記ユーザ情報及び上記車両制御用鍵情報を車両の動作を制御する車両制御手段に転送し、上記車載機器により利用可能な情報を上記車両制御手段及び車載機器を制御する車載機器制御手段のうちの少なくとも何れか一方に転送する転送ステップと
を具えることを特徴とする転送方法。
【請求項２１】
車両制御用鍵情報を記憶するための第１のサービス領域と、当該第１のサービス領域を識別するための第１のサービス領域識別コードと第１の認証用コードとを記憶すると共に上記第１のサービス領域を管理する第１のサービス定義領域と、車載機器により利用可能な情報を記憶するための第２のサービス領域と、当該第２のサービス領域を識別するための第２のサービス領域識別コードと第２の認証用コードとを記憶すると共に上記第２のサービス領域を管理する第２のサービス定義領域とを有する記憶媒体を具える記憶媒体内蔵装置の通信方法であって、
外部機器と非接触通信を行う通信ステップと、
上記通信ステップで上記外部機器より受信したデータと上記第２の認証用コードとに基づき認証する認証ステップと、
上記認証ステップでの認証結果に基づき、上記外部機器より受信した上記第２のサービス領域に対するデータ書込要求に応じて、上記第２のサービス領域に上記車載機器により利用可能な情報を書き込む書込ステップと
を具えることを特徴とする記憶媒体内蔵装置の通信方法。
【請求項２２】
情報処理装置に対して、
接近する第１の記憶媒体を有する記憶媒体内蔵デバイスと通信する通信ステップと、
上記通信ステップで上記第１の記憶媒体より受信した情報に基づき認証する認証ステップと、
上記第１の記憶媒体は、車両制御用鍵情報を記憶する第１の領域と上記車載機器により利用可能な情報を記憶する第２の領域とを有し、上記認証ステップでの認証結果に応じて、第２の記憶媒体に記憶される車載機器により利用可能な情報を、上記第１の記憶媒体の上記第２の領域に書き込むことを要求する書込要求情報を送信する書込ステップと
を実行させることを特徴とする書込プログラム。
【請求項２３】
情報処理装置に対して、
接近する記憶媒体内蔵デバイスと通信する通信ステップと、
上記通信ステップで上記記憶媒体内蔵デバイスより受信した情報に基づき認証する認証ステップと、
上記認証ステップでの認証結果に応じて、上記記憶媒体内蔵デバイス内の記憶媒体に記憶されるユーザ情報、少なくとも車両のドアロックを解除するための鍵情報を含む車両制御用鍵情報、及び車載機器により利用可能な情報を読み出す読出ステップと、
上記読出ステップで読み出された上記ユーザ情報及び上記車両制御用鍵情報を車両の動作を制御する車両制御手段に転送し、上記車載機器により利用可能な情報を上記車両制御手段及び車載機器を制御する車載機器制御手段のうちの少なくとも何れか一方に転送する転送ステップと
を実行させることを特徴とする転送プログラム。
【請求項２４】
車両制御用鍵情報を記憶するための第１のサービス領域と、当該第１のサービス領域を識別するための第１のサービス領域識別コードと第１の認証用コードとを記憶すると共に上記第１のサービス領域を管理する第１のサービス定義領域と、車載機器により利用可能な情報を記憶するための第２のサービス領域と、当該第２のサービス領域を識別するための第２のサービス領域識別コードと第２の認証用コードとを記憶すると共に上記第２のサービス領域を管理する第２のサービス定義領域とを有する記憶媒体を具える情報処理装置に対して、
外部機器と非接触通信を行う通信ステップと、
上記通信ステップで上記外部機器より受信したデータと上記第２の認証用コードとに基づき認証する認証ステップと、
上記認証ステップでの認証結果に基づき、上記外部機器より受信した上記第２のサービス領域に対するデータ書込要求に応じて、上記第２のサービス領域に上記車載機器により利用可能な情報を書き込む書込ステップと
を実行させることを特徴とする通信プログラム。
【発明の詳細な説明】
【技術分野】
【０００１】
本発明は書込装置、情報処理装置、記憶媒体内蔵装置及び車両に関し、例えば、非接触ＩＣカードに対して情報を読み書きする際に適用して好適なものである。
【背景技術】
【０００２】
一般的に自動車では、その自動車専用のキーにより、ドアの開閉やエンジンの始動について制限がかけられている。ユーザは、その自動車専用のキーを用いてこれら制限を解除することにより、ドアを開閉したりエンジンを始動させたりすることができる。
【０００３】
ところで近年、非接触ＩＣ（Integrated Circuit）カードの普及に伴って、このような非接触ＩＣカードを自動車のキーとして適用する技術が提案されている。例えばユーザは、この自動車のキーとして機能する非接触ＩＣカード（以下、これを「非接触ＩＣカードキー」と呼ぶ）を、例えば自動車のドア付近に設けられているリーダ／ライタにかざすだけで、ドア開閉制限（ドアロック）を簡単に解除することができる。
【０００４】
また、この非接触ＩＣカードキーにユーザを識別するためのユーザ情報（例えばユーザＩＤ）を書き込んでおくことで、自動車が当該ユーザＩＤに基づいてユーザを識別し、当該ユーザに合わせた車載機器の設定（例えばカーオーディオ機器の音量の設定等）を行うこともできる（例えば特許文献１参照）。
【特許文献１】特開２００２−３２２８４２公報
【発明の開示】
【発明が解決しようとする課題】
【０００５】
ところで、非接触ＩＣカードキーに記録されたユーザＩＤに基づいて、ユーザに合わせた設定を行うには、ユーザ毎の設定に対応する設定情報をユーザＩＤと関連付けて車載機器に登録しておく必要がある。また設定を変更するには、車載機器に登録されている設定情報を更新する必要がある。
【０００６】
これらの場合、ユーザは、例えば設定情報を登録するための作業を運転前に車内で行わなければならない。
【０００７】
このように従来は、設定情報のような車載機器が利用する情報を車載機器に対して登録する作業を、ユーザが運転前に車内で行う必要があり、登録作業が面倒であるという問題があった。
【０００８】
本発明は以上の点を考慮してなされたもので、車載機器が利用する情報を容易に登録し得る書込装置、情報処理装置、記憶媒体内蔵装置、及び車両を提案しようとするものである。
【課題を解決するための手段】
【０００９】
かかる課題を解決するため本発明の書込装置においては、接近する第１の記憶媒体を有する記憶媒体内蔵デバイスと通信する通信手段と、車載機器により利用可能な情報を記憶する第２の記憶媒体と、通信手段を介して第１の記憶媒体より受信した情報に基づき認証する認証手段と、第１の記憶媒体が、車両制御用鍵情報を記憶する第１の領域と車載機器により利用可能な情報を記憶する第２の領域とを有し、認証手段による認証結果に応じて、第２の記憶媒体に記憶される車載機器により利用可能な情報を、第１の記憶媒体の第２の領域に書き込むことを要求する書込要求情報を通信手段を介して送信する書込手段とを設けるようにした。
【００１０】
また本発明の情報処理装置及び車両においては、接近する記憶媒体内蔵デバイスと通信する通信手段と、通信手段を介して記憶媒体内蔵デバイスより受信した情報に基づき認証する認証手段と、認証手段による認証結果に応じて、記憶媒体内蔵デバイス内の記憶媒体に記憶されるユーザ情報、少なくとも車両のドアロックを解除するための鍵情報を含む車両制御用鍵情報、及び車載機器により利用可能な情報を読み出す読出手段と、読出手段により読み出されたユーザ情報及び車両制御用鍵情報を車両の動作を制御する車両制御手段に転送し、車載機器により利用可能な情報を車両制御手段及び車載機器を制御する車載機器制御手段のうちの少なくとも何れか一方に転送する転送手段とを設けるようにした。
【００１１】
さらに本発明の記憶媒体内蔵装置においては、車両制御用鍵情報を記憶するための第１のサービス領域と、当該第１のサービス領域を識別するための第１のサービス領域識別コードと第１の認証用コードとを記憶すると共に第１のサービス領域を管理する第１のサービス定義領域と、車載機器により利用可能な情報を記憶するための第２のサービス領域と、当該第２のサービス領域を識別するための第２のサービス領域識別コードと第２の認証用コードとを記憶すると共に第２のサービス領域を管理する第２のサービス定義領域とを設けた記憶媒体と、外部機器と非接触通信を行う通信手段と、通信手段を介して外部機器より受信したデータと第２の認証用コードとに基づき認証する認証手段と、認証手段による認証結果に基づき、外部機器より受信した第２のサービス領域に対するデータ書込要求に応じて、第２のサービス領域に車載機器により利用可能な情報を書き込む書込手段とを設けるようにした。
【００１２】
このように記憶媒体内蔵デバイスの第１のサービス領域に車両のドアロックを解除するための鍵情報を含む車両制御用鍵情報を記憶すると共に、第２のサービス領域に車載機器により利用可能な情報を記憶させ、情報処理装置が当該車両制御用鍵情報と当該車載機器により利用可能な情報とを読み出し、車両制御用鍵情報を車両制御手段に転送すると共に、車載機器により利用可能な情報を車載機器制御手段に転送するようにしたことにより、車両のドアロックの解除と、車載機器により利用可能な情報の転送とを一度の操作で処理することができる。
【発明の効果】
【００１３】
本発明によれば、記憶媒体内蔵デバイスの第１のサービス領域に車両のドアロックを解除するための鍵情報を含む車両制御用鍵情報を記憶すると共に、第２のサービス領域に車載機器により利用可能な情報を記憶させ、情報処理装置が当該車両制御用鍵情報と当該車載機器により利用可能な情報とを読み出し、車両制御用鍵情報を車両制御手段に転送すると共に、車載機器により利用可能な情報を車載機器制御手段に転送するようにしたことにより、車両のドアロックの解除と、車載機器により利用可能な情報の転送とを一度の操作で処理することができ、かくして車載機器が利用する情報を容易に登録することができる。
【発明を実施するための最良の形態】
【００１４】
以下図面について、本発明の実施の形態を詳述する。
【００１５】
（１）第１の実施の形態
（１−１）非接触ＩＣカードキーシステム
図１において、１は全体として非接触ＩＣカードキーシステムを示し、カーナビゲーション機能及びコンテンツ再生機能を有するナビゲーション装置ＮＶを搭載した自動車２と、当該自動車２におけるドアロックの解除やエンジンの始動等を許可する車両制御用鍵情報（以下、これを単に鍵情報とも呼ぶ）やナビゲーション装置ＮＶで利用する利用情報（後述するドライブ情報やライセンス情報等）が書き込まれる非接触ＩＣカードキー３と、当該非接触ＩＣカードキー３に対して利用情報を書き込むためのパーソナルコンピュータＰＣと、インターネット等のネットワークＮＴに接続されたサーバＳＶとで構成される。
【００１６】
自動車２は、各ドアの内部（ドアノブの近傍）や運転席の近傍に非接触ＩＣカードと非接触で通信するためのリーダ／ライタＲＷ（ＲＷ１〜ＲＷ３）を有しており、このリーダ／ライタＲＷ（ＲＷ１〜ＲＷ３）で、当該リーダ／ライタＲＷ（ＲＷ１〜ＲＷ３）にかざされた非接触ＩＣカードキー３から、鍵情報や利用情報等を読み出す。
【００１７】
そして自動車２は、非接触ＩＣカードキー３から読み出した鍵情報が、自身が保持している鍵情報と一致した場合には、ドアロックの解除やエンジンの始動等を許可すると共に、利用情報をナビゲーション装置ＮＶに送出するようになされている。
【００１８】
ナビゲーション装置ＮＶは、利用情報を受け取ると、例えばこの利用情報に基づいて、ルート検索を実行したり、コンテンツデータを配信しているサーバＳＶからコンテンツデータをダウンロードしたりするようになされている。
【００１９】
（１−２）自動車の構成
（１−２−１）自動車の回路構成
次に図（２）を用いて、自動車２における電気制御系統の回路構成を説明する。自動車内部の電気回路を統括的に制御するＥＣＵ１０に対しては、各ドアの内部（ドアノブ付近）に設けられているリーダ／ライタＲＷ１及びＲＷ２と、運転席の近傍に設けられたリーダ／ライタＲＷ３とが接続されている。これによりＥＣＵ１０は、これらリーダ／ライタＲＷ（ＲＷ１〜ＲＷ３）にかざされた非接触ＩＣカードキー３と、当該各リーダ／ライタＲＷ（ＲＷ１〜ＲＷ３）を介して通信することができる。
【００２０】
またこのＥＣＵ１０に対しては、ナビゲーション装置ＮＶと無線又は有線により通信するための通信部１１が設けられている。これによりＥＣＵ１０は、この通信部１１を介してナビゲーション装置ＮＶに対する電源のオン／オフ切換命令や、利用情報のやり取りを行うことができる。
【００２１】
さらにこのＥＣＵ１０に対しては、ドライバシートの位置等を調節するための特性調整部１２や、ステアリングロックを制御するためのステアリングロック部１３や、エンジンへの燃料供給及びイグニッション動作を制御するためのイモビライザ部１４や、ドアロックを制御するためのドアロック部１５や、トランクロックを制御するためのトランクロック部１６や、ダッシュボードロックを制限するためのダッシュボードロック部１７等が接続されている。
【００２２】
さらにこのＥＣＵ１０に対しては、イグニッションスイッチに対する操作等を検出するための操作検出部１８や、ドアの開閉を検出するためのカーテシスイッチ１９や、ハードディスク等でなる記憶部２０が接続されている。
【００２３】
この記憶部２０には、図３に示すように、自動車２のオーナ（ユーザ）に関するオーナ情報、及び鍵情報に関する鍵関連情報等を格納するデータベースが構築されている。
【００２４】
このデータベースに格納されるオーナ情報には、オーナを識別するためのオーナＩＤ（Identification）、パスワード、氏名及び免許証番号等の情報が含まれており、また鍵関連情報には、各鍵情報（例えば「ＡＢＣ」）、鍵情報毎の許可動作（例えばドアロックの解除や、エンジンの始動等の動作）と、自動車２に対して発行された非接触ＩＣカードキー３（例えばマスタカードキーやスペアカードキー）を識別するための発行ＩＤ、及び非接触ＩＣカードキー３毎に設定される鍵情報で許可する動作の制限（回数や期間等）等の情報が含まれている。
【００２５】
（１−２−２）ナビゲーション装置の回路構成
次に、自動車２に搭載されるナビゲーション装置ＮＶの回路構成について説明する。図４に示すように、ナビゲーション装置ＮＶは、ＣＰＵ（Central Processing Unit）３０が、バス３１を介してＲＯＭ（Read Only Memory）３２に記憶されているプログラムや、記憶部３３からＲＡＭ（Random Access Memory）３４に読み出したプログラム等に従って各種処理を実行するようになされている。
【００２６】
また、このバス３１には、入出力インタフェース３５が接続されており、この入出力インタフェース３５を介して、ナビゲーション装置ＮＶに対する操作を行う操作部３６、現在位置やルート検索の結果を表示する表示部３７、音声や音楽を出力する音声出力部３８、地図データやコンテンツデータ等を記憶する記憶部３３、ＥＣＵ１０との通信を行う通信部３９、ＧＰＳ衛星との通信や無線基地局との無線通信を行う無線通信部４０、ＣＤやＤＶＤ等を再生するドライブ４１が接続されている。
【００２７】
本実施の形態のナビゲーション装置ＮＶは、ナビゲーション機能に加えて、コンテンツデータを再生するコンテンツ再生機能を有している。
【００２８】
すなわちナビゲーション装置ＮＶのＣＰＵ３０は、操作部３６を介してナビゲーション機能が選択されると、無線通信部４０を介してＧＰＳ衛星と通信することにより自動車２の現在位置を特定してその結果を地図データに合わせて表示部３７に表示し、これに対してコンテンツ再生機能が選択されると、例えば記憶部３３に記憶されている音楽データを読み出して所定の復号処理を施し、この結果得られる音声信号に基づく音声を音声出力部３８から出力する。
【００２９】
さらにナビゲーション装置ＮＶは、無線通信部４０を介して無線基地局と無線通信し得るようにもなされており、これにより当該無線基地局を介してネットワークＮＴに接続し、当該ネットワークＮＴ上のサーバＳＶからコンテンツデータをダウンロードして再生し得るようにもなされている。
【００３０】
（１−２−３）リーダ／ライタ装置の回路構成
次に、自動車２に搭載されているリーダ／ライタＲＷ（ＲＷ１〜ＲＷ３）の回路構成について説明する。図５に示すように、リーダ／ライタＲＷは、ＩＣ５０と、各種回路ブロック（フラッシュメモリ５１、変調回路５２、復調回路５３、発振器５４）と、アンテナ５５とで構成される。
【００３１】
ＩＣ５０においては、ＩＣ５０の各部を統括的に制御する制御部５６、データの処理を行うＤＰＵ（Data Processing Unit）５７、非接触ＩＣカードキー３に送信するデータ及び非接触ＩＣカードキー３から受信したデータの処理を行うＳＰＵ（Signal Processing Unit）５８、ＥＣＵ１０との通信を行うＳＣＣ（Serial Communication Controller）５９、およびデータの処理に必要な情報を予め記憶しているＲＯＭ部５９と処理途中のデータを一時的に記憶するＲＡＭ部６０とで構成されるメモリ部６１が、バスを介して接続されている。また、このバスには、所定のデータを記憶するフラッシュメモリ５１も接続されている。
【００３２】
ＤＰＵ５７は、非接触ＩＣカードキー３に送信するコマンドをＳＰＵ５８に出力するとともに、非接触ＩＣカードキー３から受信した応答データをＳＰＵ５８から受け取るようになされている。
【００３３】
ＳＰＵ５８は、非接触ＩＣカードキー３に送信するコマンドに対して所定の処理（例えば、ＢＰＳＫ（BiPhase Shift Keying）変調（マンチェスタコードへのコーディング）など）を行った後、変調回路５２に出力するとともに、非接触ＩＣカードキー３により送信されてきた応答データを復調回路５３から受け取り、そのデータに対して所定の処理を施すようになされている。
【００３４】
変調回路５２は、発振器（ＯＳＣ）５４より供給される所定の周波数（例えば１３．５６ＭＨｚ）の搬送波を、ＳＰＵ５８より供給されるデータで、ＡＳＫ（Amplitude Shift Keying）変調し、生成された変調波をアンテナ５５を介して、電磁波として非接触ＩＣカードキー３に出力するようになされている。なお、このとき変調回路５２は、変調度を１未満にして、ＡＳＫ変調を行うようになされており、これにより、データがローレベルのときにおいても、変調波の最大振幅がゼロにならないようになされている。
【００３５】
復調回路５３は、アンテナ５５を介して非接触ＩＣカードキー３から受信した変調波（ＡＳＫ変調波）を復調し、復調されたデータをＳＰＵ５８に出力するようになされている。
【００３６】
また制御部５６は、非接触ＩＣカードキー３との通信時に、リーダ／ライタＲＷ及び非接触ＩＣカードキー３間の認証処理（詳しくは後述する）を実行し、その結果等を、ＳＣＣ５９を介してＥＣＵ１０に送信するようにもなされている。
【００３７】
（１−３）非接触ＩＣカードキーの構成
（１−３−１）非接触ＩＣカードキーの回路構成
次に、非接触ＩＣカードキー３について説明する。図６に示すように、非接触ＩＣカードキー３は、ＩＣ７０と、コンデンサ７１と、アンテナ７２とで構成され、ＩＣ７０が、アンテナ７２を介して、リーダ／ライタＲＷから送信された変調波を受信するようになされている。なお、コンデンサ７１は、アンテナ７２とともにＬＣ回路を構成し、所定の周波数（キャリア周波数）の電磁波に同調（共振）するようになされている。
【００３８】
ＩＣ７０において、ＲＦインタフェース部７３は、ＡＳＫ復調部７４で、アンテナ７２を介して受信した変調波（ＡＳＫ変調波）を検波して復調し、復調後のデータを、ＢＰＳＫ復調回路７５およびＰＬＬ（Phase Locked Loop）部７６に出力するとともに、電圧レギュレータ７７で、ＡＳＫ復調部７８が検波した信号を安定化し、各回路に直流電源として供給するようになされている。
【００３９】
また、ＲＦインタフェース部７３は、発振回路７９でデータのクロック周波数と同一の周波数の信号を発振し、その信号をＰＬＬ部７６に出力するようになされている。
【００４０】
さらに、ＲＦインタフェース部７３では、ＡＳＫ変調部７８において、演算部８０より、ＢＰＳＫ変調回路８１を介して供給されるデータに対応して、非接触ＩＣカードキー３の電源としてのアンテナ７２の負荷を変動させる（例えば、データに対応して所定のスイッチング素子をオン／オフさせ、スイッチング素子がオン状態であるときだけ所定の負荷をアンテナ７２に並列に接続させる）ことにより、アンテナ７２を介して受信している変調波をＡＳＫ変調し、（非接触ＩＣカードキー３からデータを送信するとき（非接触ＩＣカードキー３にデータを送信させるとき）は、リーダ／ライタＲＷが、その出力する変調波の最大振幅を一定にしており、この変調波が、アンテナ７２の負荷の変動により、ＡＳＫ変調される）、その変調成分を、アンテナ７２を介してリーダ／ライタＲＷに送信する（リーダ／ライタＲＷのアンテナ５５の端子電圧を変動させる）ようになされている。
【００４１】
ＰＬＬ部７６は、ＡＳＫ復調部７４より供給されるデータから、そのデータに同期したクロック信号を生成し、そのクロック信号をＢＰＳＫ復調回路７５およびＢＰＳＫ変調回路８１に出力するようになされている。
【００４２】
ＢＰＳＫ復調回路７５は、ＡＳＫ復調部７４で復調されたデータが、ＢＰＳＫ変調されている場合、ＰＬＬ部７６より供給されたクロック信号に従って、そのデータの復調（マンチェスタコードのデコード）を行い、復調したデータを演算部８０に出力するようになされている。
【００４３】
演算部８０は、ＢＰＳＫ復調回路７５より供給されたデータが暗号化されている場合、そのデータを暗号／復号部８２で復号化した後、そのデータを、シーケンサ８３で処理するようになされている。なお、データが暗号化されていない場合、ＢＰＳＫ復調回路７５より供給されたデータは、暗号／復号部８２を介さず、シーケンサ８３に、直接供給される。
【００４４】
シーケンサ８３は、そこに供給されるコマンドとしてのデータに対応する処理を行うようになされている。即ち、例えばシーケンサ８３は、ＥＥＰＲＯＭ８４に対するデータの書き込みや読み出し、その他データに対する必要な演算処理などを行う。さらにシーケンサ８３は、認証を行うことによるＥＥＰＲＯＭ８４へのアクセス制御や、ＥＥＰＲＯＭ８４の管理などをも行うようになされている。
【００４５】
演算部８０のパリティ演算部８５は、ＥＥＰＲＯＭ８４に記憶されるデータや、ＥＥＰＲＯＭ８４に記憶されているデータから、パリティとして、例えば、リードソロモン符号を算出するようになされている。
【００４６】
さらに、演算部８０は、シーケンサ８３で所定の処理を行った後、その処理に対応する応答データ（リーダ／ライタＲＷに送信するデータ）をＢＰＳＫ変調回路８１に出力するようになされている。
【００４７】
ＢＰＳＫ変調回路８１は、演算部８０より供給されたデータをＢＰＳＫ変調し、変調後のデータをＲＦインタフェース部７３のＡＳＫ変調部７８に出力するようになされている。
【００４８】
ＲＯＭ８６は、シーケンサ８３が処理を行うためのプログラムや、その他の必要なデータを記憶している。ＲＡＭ８７は、シーケンサ８３が処理を行うとき、その処理の途中のデータなどを、一時的に記憶するようになされている。
【００４９】
ＥＥＰＲＯＭ（Electrically Erasable and Programmable ROM）８４は、不揮発性のメモリであり、非接触ＩＣカードキー３がリーダ／ライタＲＷとの通信を終了し、電力供給が停止した後も、データを記憶し続けるようになされている。
【００５０】
（１−３−２）ＥＥＰＲＯＭの構成
ここで、ＥＥＰＲＯＭ８４の構成について説明する。図７に示すように、ＥＥＰＲＯＭ８４の論理フォーマットは、ブロックを単位として構成され、例えば１ブロックが１６バイトで構成されている。
【００５１】
さらにＥＥＰＲＯＭ８４においては、最も上のブロックの論理アドレスを＃００００ｈ（ｈは、１６進数を表す）として、昇順に、論理アドレスが付されている。なお、このＥＥＰＲＯＭ６６では、論理アドレスとして、＃００００ｈ乃至＃ＦＦＦＦｈが付されており、従って、６５５３６（＝２１６）個のブロックが構成されている。
【００５２】
ブロックは、ユーザブロックまたはシステムブロックとして使用されるようになされている。ＥＥＰＲＯＭ８４のブロックは、論理アドレスの昇順に、ユーザブロックに割り当てられていき、また、論理アドレスの降順に、システムブロックに割り当てられていくようになされている。即ち、ユーザブロックは下方向に、システムブロックは上方向に、それぞれ増えていき、空きブロックがなくなった時点で、ユーザブロックおよびシステムブロックをつくることはできなくなる。従って、ユーザブロックとシステムブロックとの境界は固定ではなく、また、ユーザブロックの数、またはシステムブロックの数それぞれには、特に制限がない（但し、本実施の形態では、ユーザブロックとシステムブロックとの合計は、６５５３６個以下に制限される）。
【００５３】
システムブロックには、製造ＩＤ（Identification）ブロック、発行ＩＤブロック、システム定義ブロック、エリア定義ブロック、サービス定義ブロックの５種類がある。なお、本実施の形態では、エリア定義ブロックまたはサービス定義ブロックとなっているブロックを、エリア／サービス定義ブロックと示してある。
【００５４】
システムブロックのうち、製造ＩＤブロック、発行ＩＤブロック、システム定義ブロックの３つは、基本的に、非接触ＩＣカードキー３の発行時には、既に配置されているもので、論理アドレス＃ＦＦＦＦｈ，＃ＦＦＦＥｈ，＃ＦＦＦＤｈにそれぞれ配置される。そして、エリア／サービス定義ブロックは、論理アドレス＃ＦＦＦＣｈより上に、作成順に配置されていく。
【００５５】
製造ＩＤブロックには、非接触ＩＣカードキー３の製造に関する情報が配置される。即ち、製造ＩＤブロックには、例えば、ユニークな製造ＩＤや、製造年月日、製造者のコードなどが配置される。
【００５６】
発行ＩＤブロックには、非接触ＩＣカードキー３の発行に関する情報が配置される。即ち、発行ＩＤブロックには、例えば、非接触ＩＣカードキー３が発行された日付や、ＩＣカードを発行した順番を表すコード（すなわち非接触ＩＣカードキー３１毎に固有の情報）などが配置される。
【００５７】
システム定義ブロックには、例えば、ＥＥＰＲＯＭ８４が有するシステムブロックまたはユーザブロックの数や、システム認証キーなどが配置される。なお、システム認証キーは、非接触ＩＣカードキー３と、リーダ／ライタＲＷの制御部１０との間で、相互認証を行うときに用いられる。
【００５８】
エリア定義ブロックは、例えば、ＥＥＰＲＯＭ８４の記憶領域（エリア）が、管理者に割り当てられることにより作成され、そこには、管理者が、自身に割り当てられた記憶領域を管理するための情報などが配置される。即ち、エリア定義ブロックには、例えば、後述するコード範囲、空き容量、およびエリアキーなどが配置される。
【００５９】
サービス定義ブロックには、後述するサービス領域を管理するための情報（サービス領域の容量やサービスキーなど）などが配置される。
【００６０】
次に、ＥＥＰＲＯＭ８４のディレクトリ構造について説明する。シーケンサ８３では、ＥＥＰＲＯＭ８４の記憶領域が階層化されて管理されるようになされている。すなわち図８に示すように、ＥＥＰＲＯＭ８４の記憶領域は、エリア定義領域を階層とする階層構造をなしており、エリア定義領域は、エリア定義領域およびサービス定義領域を有することができるようになされている。
【００６１】
エリア定義領域は、管理者に割り当てられ、そこには、管理者が、エリア定義領域やサービス定義領域を識別するための名前として使用可能な識別コードの範囲を表すコード範囲、使用可能な空きブロック数を表す空き容量、認証に用いるエリアキーなどが配置される。ここで、１のエリア定義領域は、図７で説明した１のエリア定義ブロックに対応する。
【００６２】
本実施の形態では、管理者Ａに割り当てられたエリア定義領域が最上位階層を構成しており、これを親の階層として、管理者Ｂ１およびＢ２のエリア定義領域が作成されている。さらに、管理者Ｂ１のエリア定義領域を、親の階層として、管理者Ｃのエリア定義領域が作成されている。
【００６３】
サービス定義領域は、管理者が提供するサービスに割り当てられ、そこには、そのサービスの提供に必要なデータを記憶するサービス領域の容量や、サービスキーなどが配置される。ここで、１のサービス定義領域は、図７で説明した１のサービス定義ブロックに対応する。
【００６４】
サービス領域は、サービスの提供に必要なデータが記憶される記憶領域で、図７のユーザブロックに対応する。即ち、サービス領域は、０以上のユーザブロックで構成され、サービス領域を構成するユーザブロック数が、そのサービス領域を管理するサービス定義領域の容量として配置される。
【００６５】
また、エリア定義領域およびサービス定義領域には、それらを識別するための識別コードも配置される。ここで、エリア定義領域またはサービス定義領域を識別するための識別コードそれぞれを、以下、適宜、エリアコードまたはサービスコードという。なお、サービスコードは、あるサービス領域を管理するサービス定義領域を識別するものであるから、そのサービス領域を識別する識別コード（サービス領域識別コード）であるということもできる。
【００６６】
本実施の形態では、管理者Ａに、最上位階層のエリア定義領域が割り当てられている。そして、使用可能な識別コードの範囲（コード範囲）として、００００ｈ乃至ＦＦＦＦｈが、エリアキーとして、「0123456789abcdef」が、それぞれ定義されている。ここで、エリア定義領域におけるコード範囲内の識別コードであれば、いずれの識別コードも、そのエリア定義領域のエリアコードとして使用可能であるが、本実施の形態では、例えば、エリア定義領域のコード範囲の最小値が、そのエリアコードとして使用されるようになされている。従って、コード範囲が、００００ｈ乃至ＦＦＦＦｈとなっているエリア定義領域、即ち、管理者Ａに割り当てられているエリア定義領域のエリアコードは、００００ｈとなっている。ここで、エリアコード＃ｘｘｘｘｈのエリア定義領域を、以下、適宜、エリア定義領域＃ｘｘｘｘｈと記載する。
【００６７】
管理者Ａのエリア定義領域＃００００ｈの階層には、管理者Ａがサービスを提供するためのサービス定義領域が設けられている。このサービス定義領域には、エリア定義領域＃００００ｈのコード範囲である００００ｈ乃至ＦＦＦＦｈのうち、０００８ｈが、サービスコードとして割り当てられている。ここで、サービスコード＃ｘｘｘｘｈのサービス定義領域を、以下、適宜、サービス定義領域＃ｘｘｘｘｈと記載する。
【００６８】
サービス定義領域＃０００８ｈの容量は８とされており、従って、８のユーザブロックで構成されるサービス領域の使用が可能となっている。また、サービス定義領域＃０００８ｈのサービスキーは、「0101010101010101」となっている。
【００６９】
さらに、管理者Ａのエリア定義領域＃００００ｈの階層には、管理者Ｂ１のエリア定義領域＃０１００ｈ、および管理者Ｂ２のエリア定義領域＃１０００ｈが、その子の階層として設けられている。また、エリア定義領域＃００００ｈの階層には、図示せぬその他のエリア定義領域も設けられており、これにより、エリア定義領域＃００００ｈが使用可能なブロック数（空き容量）は、例えば、３７ブロックとなっている。
【００７０】
管理者Ｂ１のエリア定義領域＃０１００ｈのコード範囲としては、その親の階層であるエリア定義領域＃００００ｈのコード範囲である００００ｈ乃至ＦＦＦＦｈのうちの、０１００ｈ乃至０３ＦＦｈが割り当てられている。ここで、管理者Ｂ１のエリア定義領域のコード範囲が０１００ｈ乃至０３ＦＦｈであるため、その最小値である０１００ｈが、管理者Ｂ１のエリア定義領域のエリアコードとなっている。
【００７１】
また、エリア定義領域＃０１００ｈの空き容量またはエリアキーは、それぞれ、１４または「a0a0a0a0a0a0a0a0」になっている。
【００７２】
さらに、管理者Ｂ１のエリア定義領域＃０１００ｈの階層には、管理者Ｃのエリア定義領域＃０３００ｈが、その子の階層として設けられている。そして、管理者Ｃのエリア定義領域＃０３００ｈのコード範囲としては、その親の階層であるエリア定義領域＃０１００ｈのコード範囲である０１００ｈ乃至０３ＦＦｈのうちの、０３００ｈ乃至０３ＦＦｈが割り当てられている。ここで、管理者Ｃのエリア定義領域のコード範囲が０３００ｈ乃至０３ＦＦｈであるため、その最小値である０３００ｈが、管理者Ｃのエリア定義領域のエリアコードとなっている。
【００７３】
また、エリア定義領域＃０３００ｈの空き容量またはエリアキーは、それぞれ、０または「b0b0b0b0b0b0b0b0」になっている。
【００７４】
管理者Ｃのエリア定義領域＃０３００ｈの階層には、管理者Ｃがサービスを提供するためのサービス定義領域が設けられている。このサービス定義領域には、エリア定義領域＃０３００ｈのコード範囲である０３００ｈ乃至０３ＦＦｈのうちの、０３０Ｃｈが、サービスコードとして割り当てられている。
【００７５】
このサービスコード０３０Ｃｈが割り当てられているサービス定義領域、即ち、サービス定義領域＃０３０Ｃｈの容量は１６とされており、従って、１６のユーザブロックで構成されるサービス領域の使用が可能となっている。また、サービス定義領域＃０３０Ｃｈのサービスキーは、「0202020202020202」となっている。
【００７６】
ここで、サービス定義領域＃０３０Ｃｈが管理するサービス領域の容量が１６であり、そのサービス定義領域＃０３０Ｃｈ自体が、１のブロックを、サービス定義ブロックとして使用することから、サービス定義領域＃０３０Ｃｈが存在することによって使用されるブロック数は１７（＝１６＋１）ブロックとなる。また、サービス定義領域＃０３０Ｃｈが属する階層のエリア定義領域＃０３００ｈが使用可能なブロック数は、その空き容量が０であるから、０ブロックである。さらに、エリア定義領域＃０３００ｈ自体が、１のブロックを、エリア定義ブロックとして使用する。従って、エリア定義領域＃０３００ｈの階層においては、使用されているブロックが１８（＝１７＋１）ブロックで、使用可能なブロックが０ブロックであるから、その親の階層（上位階層）であるエリア定義領域＃０１００ｈから割り当てられたブロック数が、１８（＝１８＋０）ブロックであることが分かる。
【００７７】
さらに、エリア定義領域＃０１００ｈの階層については、その子の階層（下位階層）であるエリア定義領域＃０３００ｈで、上述のように、１８ブロックが使用されている。また、エリア定義領域＃０１００ｈ自体が１のブロックを、エリア定義ブロックとして使用している。そして、エリア定義領域＃０１００ｈの空き容量は、上述したように１４となっている。従って、エリア定義領域＃０１００ｈの階層においては、使用されているブロックが１９（＝１８＋１）ブロックで、使用可能なブロックが１４であるから、その親の階層であるエリア定義領域＃００００ｈから割り当てられたブロックは、３３（＝１９＋１４）ブロックであることが分かる。
【００７８】
一方、管理者Ｂ２のエリア定義領域＃１０００ｈのコード範囲としては、その親の階層であるエリア定義領域＃００００ｈのコード範囲である００００ｈ乃至ＦＦＦＦｈのうちの、１０００ｈ乃至１ＦＦＦｈが割り当てられている。ここで、管理者Ｂ２のエリア定義領域のコード範囲が１０００ｈ乃至１ＦＦＦｈであるため、その最小値である１０００ｈが、管理者Ｂ２のエリア定義領域のエリアコードとなっている。
【００７９】
また、エリア定義領域＃１０００ｈの空き容量またはエリアキーは、それぞれ、４３または「c0c0c0c0c0c0c0c0」になっている。
【００８０】
管理者Ｂ２のエリア定義領域＃１０００ｈの階層には、管理者Ｂ２がサービスを提供するためのサービス定義領域が設けられている。このサービス定義領域には、エリア定義領域＃１０００ｈのコード範囲である１０００ｈ乃至１ＦＦＦｈのうちの、１０２２ｈが、サービスコードとして割り当てられている。
【００８１】
このサービスコード１０２２ｈが割り当てられているサービス定義領域、即ち、サービス定義領域＃１０２２ｈの容量は４とされており、従って、４のユーザブロックで構成されるサービス領域の使用が可能となっている。また、サービス定義領域＃１０２２ｈのサービスキーは、「0303030303030303」となっている。
【００８２】
ここで、サービス定義領域＃１０２２ｈが管理するサービス領域の容量が４であり、そのサービス定義領域＃１０２２ｈ自体が、１のブロックを、サービス定義ブロックとして使用することから、サービス定義領域＃１０２２ｈが存在することによって使用されるブロック数は５（＝４＋１）ブロックとなる。また、サービス定義領域＃１０２２ｈが属する階層のエリア定義領域＃１０００ｈが使用可能なブロック数は、その空き容量が４３であるから、４３ブロックである。さらに、エリア定義領域＃１０００ｈ自体が１のブロックを、エリア定義ブロックとして使用している。従って、エリア定義領域＃１０００ｈの階層においては、使用されているブロックが６（＝５＋１）ブロックで、使用可能なブロックが４３ブロックであるから、エリア定義領域＃１０００ｈに割り当てられたブロックは、４９（＝６＋４３）ブロックであることが分かる。
【００８３】
以上のように、管理対象のエリア定義領域に割り当て可能な識別コードの範囲であるコード範囲をエリア定義領域に記憶させるようにしたので、そのコード範囲に基づき、管理対象のエリア定義領域を子の階層とし、そのエリア定義領域を管理するエリア定義領域を親の階層とする、図８に示したような階層構造を規定することができる。
【００８４】
（１−４）パーソナルコンピュータの回路構成
次に、パーソナルコンピュータＰＣの回路構成について説明する。図９に示すように、パーソナルコンピュータＰＣは、ＣＰＵ（Central Processing Unit）１００が、バス１０１を介してＲＯＭ（Read Only Memory）１０２に記憶されているプログラムや、記憶部１０３からＲＡＭ（Random Access Memory）１０４に読み出したプログラム等に従って各種処理を実行するようになされている。
【００８５】
また、このバス１０１には、入出力インタフェース１０５が接続されており、この入出力インタフェース１０５を介して、パーソナルコンピュータＰＣに対する操作を行うキーボードやマウス等でなる操作部１０６、映像を表示するディスプレイ及び音声を出力するスピーカ等でなる出力部１０７、ハードディスク等でなる記憶部１０３、インターネット等のネットワークＮＴを介してサーバＳＶ等と通信する通信部１０８、ＣＤやＤＶＤ等を再生するドライブ１０９、リーダ／ライタＲＷ４が接続されている。
【００８６】
なお、リーダ／ライタＲＷ４は、上述の自動車２に搭載されているものとほぼ同じ構成である。違いは、ＳＣＣ（Serial Communication Controller）５９がＥＣＵ１０ではなく、入出力インタフェース１０５、バス１０１を介してＣＰＵ１００と通信を行う点だけである。
【００８７】
本実施の形態のパーソナルコンピュータＰＣにおいては、リーダ／ライタＲＷ４を介して、非接触ＩＣカードキー３に利用情報（後述するドライブ情報やライセンス情報等）を書き込めるようになされている。
【００８８】
すなわちパーソナルコンピュータＰＣのＣＰＵ１００は、例えば操作部１０６を介して非接触ＩＣカードキー３に対してドライブ情報を書き込むコマンドが入力されると、リーダ／ライタＲＷ４に対して、ドライブ情報と、非接触ＩＣカードキー３の所定領域へドライブ情報の書込を要求する書込要求情報とを供給する。リーダ／ライタＲＷ４は、これらドライブ情報及び書込要求情報を受け取ると、これらに対して所定の暗号化処理を施した後、これらを非接触ＩＣカードキー３に送信する。これによりドライブ情報が、非接触ＩＣカードキー３の所定領域に書き込まれる。
【００８９】
またパーソナルコンピュータＰＣは、通信部１０８を介して、ネットワークＮＴ上のサーバ（例えばサーバＳＶ）と各種情報をやり取りし得るようにもなされている。
【００９０】
（１−５）サーバの回路構成
次に、ネットワークＮＴに接続されているサーバＳＶの回路構成について説明する。図１０に示すように、サーバＳＶは、ＣＰＵ（Central Processing Unit）１２０が、バス１２１を介してＲＯＭ（Read Only Memory）１２２に記憶されているプログラムや、記憶部１２３からＲＡＭ（Random Access Memory）１２４に読み出したプログラム等に従って各種処理を実行するようになされている。
【００９１】
また、このバス１２１には、入出力インタフェース１２５が接続されており、この入出力インタフェース１２５を介して、サーバＳＶに対する操作を行うキーボードやマウス等でなる操作部１２６、映像を表示するディスプレイ及び音声を出力するスピーカ等でなる出力部１２７、ハードディスク等でなる記憶部１２３、インターネット等のネットワークＮＴを介して、パーソナルコンピュータＰＣや自動車２のナビゲーション装置ＮＶと通信する通信部１２８、ＣＤやＤＶＤ等を再生するドライブ１２９が接続されている。
【００９２】
本実施の形態のサーバＳＶにおいては、パーソナルコンピュータＰＣ及び非接触ＩＣカードキー３を所有するユーザのユーザ情報（例えばユーザＩＤ及びパスワード）と、当該ユーザがコンテンツを購入した際に発行されるライセンス情報と、当該ライセンス情報に対応するコンテンツデータとを記憶部１２３に記憶している。
【００９３】
そしてサーバＳＶのＣＰＵ１２０は、例えば、自動車２のナビゲーション装置ＮＶから送信されるオーナ情報（ユーザ情報）及びライセンス情報を、通信部１２８を介して受信すると、このオーナ情報及びライセンス情報が正規のものであり、対応するコンテンツデータを記憶部１２３に記憶していれば、当該コンテンツデータを読み出して、通信部１２８を介してナビゲーション装置ＮＶに送信する。
【００９４】
（１−６）非接触ＩＣカードキーへのドライブ情報の書き込み
次に、パーソナルコンピュータＰＣが、リーダ／ライタＲＷ４を介して、非接触ＩＣカードキー３の所定領域にドライブ情報を書き込む際の書込処理の手順について説明する。
【００９５】
なお、本実施の形態のパーソナルコンピュータＰＣは、この書込処理の前に、ユーザにより所定のアプリケーションを介して登録された行き先（例えば、「神奈川水族館」）を示すドライブ情報を記憶部１０３に記憶しておくようになされている。
【００９６】
また、ドライブ情報を書き込む非接触ＩＣカードキー３の所定領域とは、図１１のディレクトリ構造に示すように、例えば管理者Ａのエリア定義領域の下層となる第１及び第２のサービス領域のうちの、第２のサービス領域を指す。従ってリーダ／ライタＲＷ４は、この第２のサービス領域にアクセスする際に必要となるエリア定義領域のエリアキー（例えば「0123456789abcdef」）、及び第２のサービス領域のサービスキー（例えば「0404040404040404」）等を予めフラッシュメモリ５１等に記憶している。なお、第１のサービス領域には、自動車２のドアロック解除やエンジンの始動等を許可する鍵情報と、自動車２のオーナを識別するためのオーナ名及びパスワード等を含むオーナ情報とが書き込まれている。
【００９７】
これらを踏まえた上で、以下、この書込処理の手順について図１２に示すシーケンスチャートに沿って詳述する。
【００９８】
パーソナルコンピュータＰＣのＣＰＵ１００は、例えば操作部１０６を介して非接触ＩＣカードキー３に対してドライブ情報を書き込むコマンドが入力されると、書込処理を開始する。書込処理が開始されるとパーソナルコンピュータＰＣのリーダ／ライタＲＷ４は、サブルーチンＳＲＴ１において、自身と非接触ＩＣカードキー３との間で通信し得るようにするため通信接続確立処理を実行する。
【００９９】
図１３に示すように、サブルーチンＳＲＴ１の通信接続確立処理において、リーダ／ライタＲＷ４は、まずステップＳＰ１０を所定の時間間隔で繰り返し実行することにより、レスポンスを返すように要求するレスポンス要求信号を、アンテナ５５を介して外部へ繰り返し送出する。
【０１００】
このような状態において、ユーザにより非接触ＩＣカードキー３がパーソナルコンピュータＰＣのリーダ／ライタＲＷ４にかざされて、この結果この非接触ＩＣカードキー３がリーダ／ライタＲＷ４からのレスポンス要求信号を受信すると、このときこの非接触ＩＣカードキー３はステップＳＰ１１において、当該レスポンス要求信号に応じたレスポンス信号を、アンテナ７２を介してリーダ／ライタＲＷ４に対して送出する。
【０１０１】
リーダ／ライタＲＷ４は、非接触ＩＣカードキー３からのレスポンス信号を受信するとステップＳＰ１２において、フラッシュメモリ５１に記憶しているエリア定義領域のエリアキー「0123456789abcdef」及び第２のサービス領域のサービスキー「0404040404040404」等を用いて、Ｔｒｉｐｌｅ−ＤＥＳ暗号アルゴリズム等に基づく相互認証処理を非接触ＩＣカードキー３との間で実行する。
【０１０２】
そしてこの結果この相互認証処理を正常に終了すると、リーダ／ライタＲＷ４は、非接触ＩＣカードキー３との間で情報を送受し得る状態となり、この後非接触ＩＣカードキー３に対する情報の書込及び読出処理等を実行することができるようになる。
【０１０３】
このようにしてリーダ／ライタＲＷ４は、通信接続確立処理により非接触ＩＣカードキー３との通信接続が確立すると、サブルーチンＳＲＴ１を抜け、ステップＳＰ１３（図１２）に移る。
【０１０４】
ステップＳＰ１３においてリーダ／ライタＲＷ４は、通信接続が確立したことを示す接続完了情報を、パーソナルコンピュータＰＣのＣＰＵ１００に送出する。
【０１０５】
パーソナルコンピュータＰＣのＣＰＵ１００は、リーダ／ライタＲＷ４から接続完了情報を受信すると、ステップＳＰ１４において、記憶部１０３に記憶しているドライブ情報を読み出すと共に、非接触ＩＣカードキー３の第２のサービス領域にこのドライブ情報の書込を要求する書込要求情報を生成し、これらをリーダ／ライタＲＷ４に送出する。
【０１０６】
リーダ／ライタＲＷ４は、ＣＰＵ１００からドライブ情報と書込要求情報とを受信すると、ステップＳＰ１５において、これらドライブ情報及び書込要求情報に対して所定の暗号化処理を施した後、これらを非接触ＩＣカードキー３に送信する。
【０１０７】
非接触ＩＣカードキー３は、リーダ／ライタＲＷ４から送信される暗号化されたドライブ情報及び書込要求情報を、アンテナ７２を介して受信すると、ステップＳＰ１６において、これらに対して暗号化を解除する所定の処理を施し、その結果ドライブ情報及び書込要求情報を得、この書込要求情報に基づいて、ドライブ情報をＥＥＰＲＯＭ８４における第２のサービス領域に記憶する。
【０１０８】
このようにして、この書込処理手順では、パーソナルコンピュータＰＣに記憶されているドライブ情報が、非接触ＩＣカードキー３に転送されて、そのＥＥＰＲＯＭ８４に書き込まれるようになされている。
【０１０９】
（１−７）自動車へのドライブ情報の転送
次に、自動車２が、例えばドアノブ付近に設けられているリーダ／ライタＲＷ１を介して、非接触ＩＣカードキー３からドライブ情報を読み出すことにより、非接触ＩＣカードキー３から自動車２へドライブ情報を転送させる転送処理の手順について図１４のシーケンスチャートを用いて説明する。
【０１１０】
なお、この転送処理においてリーダ／ライタＲＷ１は、非接触ＩＣカードキー３の第１のサービス領域に書き込まれた鍵情報及びオーナ情報と、第２のサービス領域に書き込まれたドライブ情報とを読み出すようになされている。従ってリーダ／ライタＲＷ１は、これら第１及び第２のサービス領域（図１１）にアクセスする際に必要となるエリア定義領域のエリアキー「0123456789abcdef」、第１のサービス定義領域の第１のサービスキー「0101010101010101」、及び第２のサービス定義領域の第２のサービスキー「0404040404040404」等を予めフラッシュメモリ５１等に記憶している。
【０１１１】
例えばオーナが自動車２のドアロックを解除するためにドアノブ付近に設けられているリーダ／ライタＲＷ１に対して、鍵情報（この場合、ドアロック解除のための鍵情報）、オーナ情報及びドライブ情報が書き込まれている非接触ＩＣカードキー３をかざすと、このときリーダ／ライタＲＷ１は、サブルーチンＳＲＴ１（図１３）へ進み、通信接続確立処理を実行する。
【０１１２】
この通信接続確立処理において、リーダ／ライタＲＷ１及び非接触ＩＣカードキー３は、上述の処理と同様にしてステップＳＰ１０〜ステップＳＰ１２の処理を行う。
【０１１３】
ただし、今回のようにリーダ／ライタＲＷ１が、複数のサービス領域にアクセスする場合、図１１に示すエリアキー「0123456789abcdef」、第１のサービスキー「0101010101010101」及び第２のサービスキー「0404040404040404」の３つのキーを合成して１つの合成鍵を生成し、この１つの合成鍵を用いて、相互認証処理（ステップＳＰ１２）を行うようになされている。これによりリーダ／ライタＲＷ１及び非接触ＩＣカードキー３では、エリアキー「0123456789abcdef」、第１のサービスキー「0101010101010101」及び第２のサービスキー「0404040404040404」の３つのキーを用いてそれぞれ別々に相互認証処理を行う場合と比して一段と高速に相互認証処理を実行することができるようになされている。
【０１１４】
そしてこの通信接続確立処理の結果、リーダ／ライタＲＷ１と非接触ＩＣカードキー３との間で通信し得るようになると、このときリーダ／ライタＲＷ１は続くステップＳＰ２０（図１４）に進み、非接触ＩＣカードキー３に記憶されている鍵情報、オーナ情報及びドライブ情報を送信するように要求する要求情報を生成し、この要求情報に対して所定の暗号化処理を施した後、これを非接触ＩＣカードキー３に対して送出する。
【０１１５】
非接触ＩＣカードキー３は、リーダ／ライタＲＷ１から暗号化された要求情報を受信するとステップＳＰ２１に移り、この暗号化された要求情報に対して暗号化を解除する所定の処理を施し、その結果要求情報を得、この要求情報に基づいて、ＥＥＰＲＯＭ８４から鍵情報、オーナ情報及びドライブ情報を読み出し、これらに対して所定の暗号化処理を施した後、これらをリーダ／ライタＲＷ１に対して送信する。
【０１１６】
リーダ／ライタＲＷ１は、非接触ＩＣカードキー３から暗号化された鍵情報、オーナ情報及びドライブ情報を受信すると、続くステップＳＰ２２に進み、これら暗号化された鍵情報、オーナ情報及びドライブ情報に対して暗号化を解除する所定の処理を施し、その結果鍵情報、オーナ情報及びドライブ情報を得、これらをＥＣＵ１０に対して送出する。
【０１１７】
ＥＣＵ１０は、リーダ／ライタＲＷ１を介して非接触ＩＣカードキー３から転送された鍵情報、オーナ情報及びドライブ情報を受信すると、ステップＳＰ２３に進み、当該受信したオーナ情報により識別されるオーナが、この自動車２のオーナであるか否かを判定する。すなわちＥＣＵ１０は、非接触ＩＣカードキー３から転送されたオーナ情報と、データベース（図３）に格納されているオーナ情報とが同一であるか否かを判定する。
【０１１８】
ここで肯定結果を得ると、このことは非接触ＩＣカードキー３から転送されたオーナ情報が、自動車２のオーナを示していることを表しており、このときＥＣＵ１０は、ステップＳＰ２４に移る。
【０１１９】
これに対してこのステップＳＰ２３で否定結果を得ると、このことは非接触ＩＣカードキー３から転送されたオーナ情報が、自動車２のオーナを示していないことを表しており、このときＥＣＵ１０は、ステップＳＰ２５に移り、自動車２のドアロックを解除し得ない旨をユーザに通知するための通知処理を行う。この通知処理では、自動車２に設けられたスピーカ等からその旨を示す音声やブザー音等を発するようにしても良い。
【０１２０】
ステップＳＰ２４においてＥＣＵ１０は、非接触ＩＣカードキー３から転送された鍵情報とデータベースに格納されている鍵情報とが同一であるか否かを判定する。
【０１２１】
ここで肯定結果を得ると、このことは非接触ＩＣカードキー３から転送された鍵情報が、ドアロックを解除するための正しい鍵情報であることを表しており、このときＥＣＵ１０は、ステップＳＰ２６に移る。
【０１２２】
これに対してこのステップＳＰ２４で否定結果を得ると、このことは非接触ＩＣカードキー３から転送された鍵情報が、ドアロックを解除するための正しい鍵情報ではないことを表しており、このときＥＣＵ１０は、ステップＳＰ２５に移り、上述した通知処理を行う。
【０１２３】
ステップＳＰ２６においてＥＣＵ１０は、非接触ＩＣカードキー３から転送されたドライブ情報をナビゲーション装置ＮＶに送出してステップＳＰ２７に移り、ドアロックを解除する。
【０１２４】
ナビゲーション装置ＮＶは、ＥＣＵ１０から送信されたドライブ情報を受信すると、ステップＳＰ２８においてこのドライブ情報を記憶部３３（図４）に登録すると共に、このドライブ情報に基づき、行き先「神奈川水族館」を認識し、例えば現在地から「神奈川水族館」までのルート検索処理を実行する。
【０１２５】
（１−８）第１の実施の形態による動作及び効果
以上の構成においてパーソナルコンピュータＰＣは、自動車２のナビゲーション装置ＮＶがルート検索を実行するのに必要となるドライブ情報を、リーダ／ライタＲＷ４を介して、自動車２のドアロックを解除するための鍵情報が書き込まれている非接触ＩＣカードキー３に書き込む。
【０１２６】
この場合、非接触ＩＣカードキー３には、その記憶領域である第１のサービス領域に鍵情報が書き込まれており、第２のサービス領域にドライブ情報が書き込まれる。
【０１２７】
そして自動車２は、この非接触ＩＣカードキー３が、ドアノブ付近に設けられたリーダ／ライタＲＷ１にかざされると、当該非接触ＩＣカードキー３から鍵情報とドライブ情報とを読み出し、鍵情報をＥＣＵ１０に転送すると共に、ドライブ情報をナビゲーション装置ＮＶに転送する。
【０１２８】
そしてＥＣＵ１０は、鍵情報に基づいてドアロックを解除し、またナビゲーション装置ＮＶはドライブ情報に基づいてルート検索を行う。
【０１２９】
かくして非接触ＩＣカードキー３を自動車２のドアノブ付近に設けられたリーダ／ライタＲＷ１にかざすだけで、ドアロックを解除させると共にナビゲーション装置ＮＶにドライブ情報を転送してルート検索を実行させることができる。
【０１３０】
以上の構成によれば、非接触ＩＣカードキー３の第１のサービス領域に自動車２のドアロックを解除するための鍵情報を記憶すると共に、第２のサービス領域にナビゲーション装置ＮＶがルート検索に利用するドライブ情報を記憶させ、自動車２のリーダ／ライタＲＷ１に当該非接触ＩＣカードキー３がかざされると、リーダ／ライタＲＷ１がこの鍵情報とドライブ情報とを読み出し、鍵情報をＥＣＵ１０に転送すると共に、ドライブ情報をナビゲーション装置ＮＶに転送するようにした。これにより自動車２のドアロックの解除と、ナビゲーション装置ＮＶに対するドライブ情報の転送とを一度の操作で処理することができ、かくしてナビゲーション装置ＮＶが利用するドライブ情報をナビゲーション装置ＮＶに容易に登録することができる
【０１３１】
（２）第２の実施の形態
第２の実施の形態においては、上述の第１の実施の形態と、システム、自動車、非接触ＩＣカードキー、パーソナルコンピュータ、及びサーバの構成が同じであるため、これらについては説明を省略する。
【０１３２】
この第２の実施の形態においては、パーソナルコンピュータＰＣが、ドライブ情報の代わりに、サーバＳＶに記憶されているコンテンツのダウンロードを許可するライセンス情報を非接触ＩＣカードキー３に書き込む書込処理を実行するようになされている。
【０１３３】
そして自動車２のリーダ／ライタＲＷ１にこの非接触ＩＣカードキー３がかざされると、自動車２は、非接触ＩＣカードキー３からこのライセンス情報を読み出し、これをナビゲーション装置ＮＶに転送する転送処理を実行するようになされている。
【０１３４】
（２−１）非接触ＩＣカードキーへのライセンス情報の書き込み
まず、パーソナルコンピュータＰＣが、リーダ／ライタＲＷ４を介して、非接触ＩＣカードキー３の第２のサービス領域にライセンス情報を書き込む際の書込処理の手順について説明する。
【０１３５】
なお、本実施の形態のパーソナルコンピュータＰＣは、この書込処理の前に、例えばサーバＳＶを介して購入したコンテンツに対応するライセンス情報（コンテンツを識別するコンテンツＩＤ及びコンテンツのダウンロード先であるサーバＳＶのＵＲＬ（Uniform Resource Locator）等を含む）を所定のアプリケーションを介して記憶部１０３に記憶しておくようになされている。
【０１３６】
またサーバＳＶは、パーソナルコンピュータＰＣのユーザにコンテンツを提供した際に、そのユーザ（この場合、自動車２のオーナでもある）を識別するためのユーザＩＤ及びパスワード等を含むユーザ情報と、提供したコンテンツに対応するライセンス情報（ＵＲＬは含まなくてもよい）とを関連付けて、記憶部１２３に記憶しておくようになされている。
【０１３７】
さらに非接触ＩＣカードキー３の第１のサービス領域には、第１の実施の形態と同様に、鍵情報とオーナ情報とが書き込まれている。なお、本実施の形態においては、パーソナルコンピュータＰＣのユーザと、自動車２のオーナとが同一であるので、ユーザ情報及びオーナ情報は同一のものとする。
【０１３８】
これらを踏まえた上で、以下、この書込処理の手順について、図１５に示すシーケンスチャートに沿って詳述する。
【０１３９】
パーソナルコンピュータＰＣのＣＰＵ１００は、例えば操作部１０６を介して非接触ＩＣカードキー３に対してライセンス情報を書き込むコマンドが入力されると、書込処理を開始する。書込処理が開始されるとパーソナルコンピュータＰＣのリーダ／ライタＲＷ４は、サブルーチンＳＲＴ１において、自身と非接触ＩＣカードキー３との間で通信し得るようにするための通信接続確立処理（第１の実施の形態における書込処理時の通信接続確立処理と同様）を実行する。
【０１４０】
そしてこの通信接続確立処理の結果、リーダ／ライタＲＷ４と非接触ＩＣカードキー３との間で通信し得るようになると、このときリーダ／ライタＲＷ４は、ステップＳＰ４０に移る。
【０１４１】
ステップＳＰ４０においてリーダ／ライタＲＷ４は、通信接続が確立したことを示す接続完了情報を、パーソナルコンピュータＰＣのＣＰＵ１００に送出する。
【０１４２】
パーソナルコンピュータＰＣのＣＰＵ１００は、リーダ／ライタＲＷ４から接続完了情報を受信すると、ステップＳＰ４１において、記憶部１０３に記憶されているライセンス情報を読み出すと共に、非接触ＩＣカードキー３の第２のサービス領域にこのライセンス情報の書込を要求する書込要求情報を生成し、これらをリーダ／ライタＲＷ４に送出する。
【０１４３】
リーダ／ライタＲＷ４は、ＣＰＵ１００からライセンス情報と書込要求情報とを受信すると、ステップＳＰ４２において、これらライセンス情報及び書込要求情報に対して所定の暗号化処理を施した後、これらを非接触ＩＣカードキー３に送信する。
【０１４４】
非接触ＩＣカードキー３は、リーダ／ライタＲＷ４から送信される暗号化されたライセンス情報及び書込要求情報を、アンテナ７２を介して受信すると、ステップＳＰ４３において、これらに対して暗号化を解除する所定の処理を施し、その結果ライセンス情報及び書込要求情報を得、この書込要求情報に基づいて、ライセンス情報をＥＥＰＲＯＭ８４における第２のサービス領域に記憶する。
【０１４５】
このようにして、この書込処理手順では、パーソナルコンピュータＰＣに記憶されているライセンス情報が、非接触ＩＣカードキー３に転送されて、そのＥＥＰＲＯＭ８４に書き込まれる。
【０１４６】
（２−２）自動車へのライセンス情報の転送
次に、自動車２が、例えばドアノブ付近に設けられているリーダ／ライタＲＷ１を介して、非接触ＩＣカードキー３からライセンス情報を読み出すことにより、非接触ＩＣカードキー３から自動車２へライセンス情報を転送させる転送処理の手順について図１６及び図１７のシーケンスチャートを用いて説明する。
【０１４７】
例えばユーザが自動車２のドアロックを解除するためにドアノブ付近に設けられているリーダ／ライタＲＷ１に対して、鍵情報（この場合、ドアロック解除のための鍵情報）、ユーザ情報及びライセンス情報が書き込まれている非接触ＩＣカードキー３をかざすと、このときリーダ／ライタＲＷ１は、サブルーチンＳＲＴ１へ進み、通信接続確立処理（第１の実施の形態における転送処理時の通信接続確認処理と同様）を実行する。
【０１４８】
そしてこの通信接続確立処理の結果、リーダ／ライタＲＷ１と非接触ＩＣカードキー３との間で通信し得るようになると、このときリーダ／ライタＲＷ１は続くステップＳＰ５０に進み、非接触ＩＣカードキー３に記憶されている鍵情報、オーナ情報及びライセンス情報を送信するように要求する要求情報を生成し、この要求情報に対して所定の暗号化処理を施した後、これを非接触ＩＣカードキー３に対して送出する。
【０１４９】
非接触ＩＣカードキー３は、リーダ／ライタＲＷ１から暗号化された要求情報を受信するとステップＳＰ５１に移り、この暗号化された要求情報に対して暗号化を解除する所定の処理を施し、その結果要求情報を得、この要求情報に基づいて、ＥＥＰＲＯＭ８４から鍵情報、オーナ情報及びライセンス情報を読み出し、これらに対して所定の暗号化処理を施した後、これらをリーダ／ライタＲＷ１に対して送信する。
【０１５０】
リーダ／ライタＲＷ１は、非接触ＩＣカードキー３から暗号化された鍵情報、オーナ情報及びライセンス情報を受信すると、続くステップＳＰ５２に進み、これら暗号化された鍵情報、オーナ情報及びドライブ情報に対して暗号化を解除する所定の処理を施し、その結果鍵情報、オーナ情報及びライセンス情報を得、これらをＥＣＵ１０に対して送出する。
【０１５１】
ＥＣＵ１０は、リーダ／ライタＲＷ１を介して非接触ＩＣカードキー３から転送された鍵情報、オーナ情報及びライセンス情報を受信すると、ステップＳＰ５３に進み、当該受信したオーナ情報により識別されるオーナが、この自動車２のオーナであるか否かを判定する。すなわちＥＣＵ１０は、非接触ＩＣカードキー３から転送されたオーナ情報と、データベース（図３）に格納されているオーナ情報とが同一であるか否かを判定する。
【０１５２】
ここで肯定結果を得ると、このことは非接触ＩＣカードキー３から転送されたオーナ情報が、自動車２のオーナを示していることを表しており、このときＥＣＵ１０は、ステップＳＰ５４に移る。
【０１５３】
これに対してこのステップＳＰ５３で否定結果を得ると、このことは非接触ＩＣカードキー３から転送されたオーナ情報が、自動車２のオーナを示していないことを表しており、このときＥＣＵ１０は、ステップＳＰ５５に移り、自動車２のドアロックを解除し得ない旨をユーザに通知するための通知処理を行う。この通知処理では、自動車２に設けられたスピーカ等からその旨を示す音声やブザー音等を発するようにしても良い。
【０１５４】
ステップＳＰ５４においてＥＣＵ１０は、非接触ＩＣカードキー３から転送された鍵情報とデータベースに格納されている鍵情報とが同一であるか否かを判定する。
【０１５５】
ここで肯定結果を得ると、このことは非接触ＩＣカードキー３から転送された鍵情報が、ドアロックを解除するための正しい鍵情報であることを表しており、このときＥＣＵ１０は、ステップＳＰ５６（図１７）に移る。
【０１５６】
これに対してこのステップＳＰ５４で否定結果を得ると、このことは非接触ＩＣカードキー３から転送された鍵情報が、ドアロックを解除するための正しい鍵情報ではないことを表しており、このときＥＣＵ１０は、ステップＳＰ５５に移り、上述した通知処理を行う。
【０１５７】
ステップＳＰ５６（図１７）においてＥＣＵ１０は、非接触ＩＣカードキー３から転送されたオーナ情報とライセンス情報とをナビゲーション装置ＮＶに送出してステップＳＰ５７に移り、ドアロックを解除する。
【０１５８】
ナビゲーション装置ＮＶは、ＥＣＵ１０から送信されたオーナ情報とライセンス情報とを受信すると、ステップＳＰ５８においてこのライセンス情報を記憶部３３（図４）に登録すると共に、このライセンス情報に含まれるサーバＳＶのＵＲＬに基づき、サーバＳＶに対して、オーナ情報及びライセンス情報を送信する。
【０１５９】
サーバＳＶのＣＰＵ１２０は、自動車２のナビゲーション装置ＮＶから送信されたオーナ情報及びライセンス情報を受信すると、ステップＳＰ５９において、当該オーナ情報及びライセンス情報に基づいて所定の認証処理を行う。すなわちＣＰＵ１２０は、受信したオーナ情報（オーナＩＤ及びパスワード等）及びライセンス情報（コンテンツＩＤ等）の組み合わせと同じ組み合わせのユーザ情報（ユーザＩＤ及びパスワード等）及びライセンス情報（コンテンツＩＤ）が記憶部１２３に登録されているか否かを判断する。
【０１６０】
そしてサーバＳＶのＣＰＵ１２０は、同じ組み合わせが登録されている場合にのみ、受信したオーナ情報及びライセンス情報が認証できたと判断し、次のステップＳＰ６０に移る。
【０１６１】
ステップＳＰ６０においてサーバＳＶのＣＰＵ１２０は、受信したライセンス情報に含まれるコンテンツＩＤに基づいて、記憶部１２３から当該コンテンツＩＤに対応するコンテンツデータ（例えば音楽データ）を検索して読み出し、これをナビゲーション装置ＮＶに送信する。
【０１６２】
ナビゲーション装置ＮＶは、サーバＳＶから送信される音楽データを受信すると、ステップＳＰ６１に移り、当該音楽データを記憶部３３に記録する。
【０１６３】
そしてナビゲーション装置ＮＶは、例えば操作部１０６を介してダウンロードした音楽データを再生するコマンドが入力されると、これに応じて、ダウンロードした音楽データを再生する。
【０１６４】
（２−３）第２の実施の形態による動作及び効果
以上の構成においてパーソナルコンピュータＰＣは、自動車２のナビゲーション装置ＮＶで再生する音楽データをサーバＳＶからダウンロードするのに必要となるライセンス情報を、リーダ／ライタＲＷ４を介して、自動車２のドアロックを解除するための鍵情報が書き込まれている非接触ＩＣカードキー３に書き込む。
【０１６５】
この場合、非接触ＩＣカードキー３には、その記憶領域である第１のサービス領域に鍵情報が書き込まれており、第２のサービス領域にライセンス情報が書き込まれる。
【０１６６】
そして自動車２は、この非接触ＩＣカードキー３が、ドアノブ付近に設けられたリーダ／ライタＲＷ１にかざされると、当該非接触ＩＣカードキー３から鍵情報とライセンス情報とを読み出し、鍵情報をＥＣＵ１０に転送すると共に、ライセンス情報をナビゲーション装置ＮＶに転送する。
【０１６７】
そしてＥＣＵ１０は、鍵情報に基づいてドアロックを解除し、またナビゲーション装置ＮＶはライセンス情報に基づいてサーバＳＶから音楽データをダウンロードする。
【０１６８】
かくして非接触ＩＣカードキー３を自動車２のドアノブ付近に設けられたリーダ／ライタＲＷ１にかざすだけで、ドアロックを解除させると共にナビゲーション装置ＮＶにライセンス情報を転送して音楽データをダウンロードさせることができる。
【０１６９】
以上の構成によれば、非接触ＩＣカードキー３の第１のサービス領域に自動車２のドアロックを解除するための鍵情報を記憶すると共に、第２のサービス領域にナビゲーション装置ＮＶがコンテンツデータのダウンロードに利用するライセンス情報を記憶させ、自動車２のリーダ／ライタＲＷ１に当該非接触ＩＣカードキー３がかざされると、リーダ／ライタＲＷ１がこの鍵情報とライセンス情報とを読み出し、鍵情報をＥＣＵ１０に転送すると共に、ライセンス情報をナビゲーション装置ＮＶに転送するようにした。これにより自動車２のドアロックの解除と、ナビゲーション装置ＮＶに対するライセンス情報の転送とを一度の操作で処理することができ、かくしてナビゲーション装置ＮＶが利用するライセンス情報をナビゲーション装置ＮＶに容易に登録することができる。
【０１７０】
（３）他の実施の形態
なお上述の第１の実施の形態においては、パーソナルコンピュータＰＣから非接触ＩＣカードキー３に行き先を示すドライブ情報を書き込むようにした場合について述べたが、本発明はこれに限らず、例えばドライブ情報の代わりに、ナビゲーション装置ＮＶで音楽データを再生する順番を示すプレイリスト情報を書き込むようにしてもよい。この場合、ナビゲーション装置ＮＶは、非接触ＩＣカードキー３から転送されるプレイリスト情報により指定される曲順で、記憶部３３に記録している音楽データを再生することにより、例えばユーザの気に入った曲順で音楽データを再生することができる。
【０１７１】
またドライブ情報の代わりに、例えば天気予報を示す天気情報を書き込むようにしてもよい。この場合、ＥＣＵ１０は、非接触ＩＣカードキー３から転送される天気予報情報を記憶部２０に記憶しておき、その天気予報情報に基づいて、車内エアコンの温度調整や、ワイパーの制御等を行うことにより、車内エアコンやワイパーをそのときの天気に応じて最適に制御できる。
【０１７２】
さらにドライブ情報の代わりに、ユーザが立ち寄る予定のある施設の名称（警察所や郵便局等）を示す施設情報を書き込むようにしてもよい。この場合、ナビゲーション装置ＮＶは、非接触ＩＣカードキー３から転送される施設情報に基づいて、例えば郵便局の近くにきた場合に、そのことを表示部３７に表示する映像や音声出力部３８から出力する音声等で通知することにより、ユーザに立ち寄る予定のある施設が近くにあることを知らせることができる。
【０１７３】
さらにドライブ情報の代わりに、店の広告を示す広告情報を書き込むようにしてもよい。この場合、ナビゲーション装置ＮＶは、非接触ＩＣカードキー３から転送される広告情報に基づいて、広告を出している店の近くにきた場合に、その店の広告を表示部３７に表示することにより、例えば特売品等の広告を出している店が近くにあることを知らせることができる。
【０１７４】
さらにドライブ情報として所望の観光スポットを書き込むようにしてもよい。この場合、ナビゲーション装置ＮＶは、非接触ＩＣカードキー３から転送される観光スポットを示すドライブ情報に基づいて、所望の観光スポット巡りができるようなルート検索処理を自動で行うことにより、所望の観光スポットを巡るルートをユーザに提示できる。
【０１７５】
このように非接触ＩＣカードキー３に書き込まれる情報は、自動車２で利用できる情報であれば、ドライブ情報以外の他の種々の情報であってもよい。
【０１７６】
さらに上述の第１の実施の形態においては、１例として行き先「神奈川水族館」を示すドライブ情報を非接触ＩＣカードキー３に書き込むようにした場合について述べたが、本発明はこれに限らず、例えば複数の行き先のリストをドライブ情報として非接触ＩＣカードキー３に書き込むようにしてもよい。この場合、ナビゲーション装置ＮＶは、非接触ＩＣカードキー３から転送されるドライブ情報に基づいて、表示部３７に行き先のリストを表示することにより、ユーザに複数の行き先から所望の行き先を指定させることができる。
【０１７７】
さらに上述の第２の実施の形態においては、ナビゲーション装置ＮＶが、非接触ＩＣカードキー３から転送されるライセンス情報に基づいて、サーバＳＶからコンテンツデータをダウンロードし、これを再生するようにした場合について述べたが、本発明はこれに限らず、例えばライセンス情報に対応するコンテンツデータを予め記憶部３３に蓄積しておき、ライセンス情報に基づき、この蓄積されているコンテンツデータを読み出して再生するようにしてもよい。
【０１７８】
またライセンス情報の代わりに、例えばＤＶＤに記録された映像をどこまで見たのかを示すレジューム情報を書き込むようにしてもよい。この場合、ナビゲーション装置ＮＶは、非接触ＩＣカードキー３から転送されるレジューム情報に基づいて、ドライブ４１に挿入されたＤＶＤをレジューム再生することにより、例えばユーザにパーソナルコンピュータＰＣで途中まで見たＤＶＤを自動車２の車内でその続きから見させることができる。
【０１７９】
さらに非接触ＩＣカードキー３にコンテンツデータを記録し得る容量の記憶媒体を搭載し、ライセンス情報と共に、コンテンツデータそのものを書き込むようにしてもよい。この場合、ナビゲーション装置ＮＶは、非接触ＩＣカードキー３から転送されるライセンス情報及びコンテンツデータに基づいて、コンテンツデータを再生することができる。
【０１８０】
さらに上述の第２の実施の形態においては、ライセンス情報に基づいて、ナビゲーション装置ＮＶがサーバＳＶからコンテンツデータをダウンロードするようにした場合について述べたが、本発明はこれに限らず、例えばパーソナルコンピュータＰＣの記憶部１０３に記憶しているコンテンツデータ（すなわちユーザが所有するコンテンツデータ）をネットワークＮＴ上の所定のサーバにアップロードしておき、非接触ＩＣカードキー３には、このサーバのＵＲＬを書き込むようにして、ナビゲーション装置ＮＶが非接触ＩＣカードキー３から転送されるこのＵＲＬに基づいて所定のサーバからコンテンツデータをダウンロードするようにしてもよい。
【０１８１】
さらに上述の第１及び第２の実施の形態においては、記憶媒体内蔵装置としてカード型の非接触ＩＣカードキー３を用いるようにした場合について述べたが、本発明はこれに限らず、リーダ／ライタＲＷに対して、非接触で情報を送受し得るのであれば、カード型に限らずこの他種々の形状を適用するようにしても良い。
【０１８２】
さらに上述の第１及び第２の実施の形態においては、車両としての自動車２に本発明を適用した場合について述べたが、本発明はこれに限らず、自動二輪車等のこの他種々の車両に本発明を適用するようにしてもよい。
【０１８３】
さらに上述の第１及び第２の実施の形態においては、自動車２のリーダ／ライタＲＷ１を介して、非接触ＩＣカードキー３からナビゲーション装置ＮＶにドライブ情報やライセンス情報が転送されるようにした場合について述べたが、本発明はこれに限らず、ナビゲーション装置ＮＶにリーダ／ライタＲＷを内蔵し、このリーダ／ライタＲＷを介して非接触ＩＣカードキー３からナビゲーション装置ＮＶにドライブ情報やライセンス情報を転送するようにしてもよい。
【０１８４】
さらに上述の第１及び第２の実施の形態においては、車載機器により利用可能な情報としての利用情報（ドライブ情報やライセンス情報）を記憶する第２の領域として、ＥＥＰＲＯＭ８４の第２のサービス領域を使用した場合について述べたが、本発明はこれに限らず、例えば第３、第４のサービス領域（図示せず）を使用するようにしてもよいし、これら複数のサービス領域を、車載機器により利用可能な情報を記憶する領域として使用するようにしてもよい。すなわち第２の領域は、１以上のサービス領域で構成される。
【０１８５】
さらに上述の第１及び第２の実施の形態においては、パーソナルコンピュータＰＣから非接触ＩＣカードキー３に利用情報（ドライブ情報やライセンス情報）を書き込む書込処理が、操作部１０６を介して書き込むコマンドが入力されると開始されるようにした場合について述べたが、本発明はこれに限らず、例えばリーダ／ライタＲＷ１がポーリング処理により非接触ＩＣカードキー３がかざされたことを認識すると、これに応じて自動的に書込処理が開始されるようにしてもよい。
【０１８６】
さらに上述の第１及び第２の実施の形態においては、ドアノブ付近に設けられているリーダ／ライタＲＷ１に対して、非接触ＩＣカードキー３をかざしたときに、当該非接触ＩＣカードキー３に書き込まれているドアロックを解除するための鍵情報（エンジン起動鍵情報）及びドライブ情報がリーダ／ライタＲＷ１に転送されるようにした場合について述べたが、本発明はこれに限らず、例えば運転席の近傍に設けられているリーダ／ライタＲＷ３に対して非接触ＩＣカードキー３をかざしたときに、当該非接触ＩＣカードキー３に書き込まれているエンジンを始動させるための鍵情報及びドライブ情報がリーダ／ライタＲＷ３に転送されるようにしてもよい。この場合、自動車２のエンジンの始動と、ナビゲーション装置ＮＶに対する利用情報の転送とを一度の操作で処理することができる。
【０１８７】
さらに上述の第１及び第２の実施の形態においては、非接触ＩＣカードキー３に対して、ドアロックを解除するための鍵情報や、エンジンを始動させるための鍵情報を書き込んでおくようにした場合について述べたが、本発明はこれに限らず、例えば非接触ＩＣカードキー３に対してナビゲーション装置ＮＶ等の車載機器を起動させるための鍵情報（車載機器起動鍵情報）を書き込んでおき、非接触ＩＣカードキー３をリーダ／ライタＲＷ１にかざした際に、ナビゲーション装置ＮＶの電源がオンになるようにしてもよい。この場合、もちろん自動車２の記憶部２０にナビゲーション装置ＮＶを起動させるための鍵情報を予め登録しておく。
【０１８８】
さらに上述の第１及び第２の実施の形態においては、書込装置としてのパーソナルコンピュータＰＣを、第１の記憶媒体としてのＥＥＰＲＯＭ８４を有する記憶媒体内蔵デバイスとしての非接触ＩＣカードキー３と通信する通信手段、認証手段及び書込手段としてのリーダ／ライタＲＷ４と、車載機器により利用可能な情報としてのドライブ情報やアクセス権情報としてのライセンス情報を記憶する第２の記憶媒体としての記憶部１０３により構成するようにした場合について述べたが、本発明はこれに限らず、この他種々の構成でこのパーソナルコンピュータＰＣを構成するようにしてもよい。
【０１８９】
さらに上述の第１及び第２の実施の形態においては、情報処理装置及び車両としての自動車２を、通信手段、認証手段、読出手段、転送手段としてのリーダ／ライタＲＷや、車両制御手段としてのＥＣＵ１０や、車載機器としてのナビゲーション装置ＮＶを制御する車載機器制御手段、コンテンツデータを再生する再生手段及び経路探索手段としてのＣＰＵ３０や、転送手段としての通信部１１、蓄積手段としての記憶部２０によって構成するようにした場合について述べたが、本発明はこれに限らず、この他種々の構成で自動車２を構成するようにしてもよい。
【０１９０】
さらに上述の第１及び第２の実施の形態においては、記憶媒体内蔵装置としての非接触ＩＣカードキー３を、第１のサービス領域と、当該第１のサービス領域を識別するための第１のサービス領域識別コードとしての第１のサービスコードと第１の認証用コードとしての第１のサービスキーとを記憶すると共に当該第１のサービス領域を管理する第１のサービス定義領域と、第２のサービス領域と、当該第２のサービス領域を識別するための第２のサービス領域識別コードとしての第２のサービスコードと第２の認証用コードとしての第２のサービスキーとを記憶すると共に当該第２のサービス領域を管理する第２のサービス定義領域とを有する記憶媒体としてのＥＥＰＲＯＭ８４や、通信手段としてのアンテナ７２及びＲＦインタフェース部７３や、認証手段、書込手段及び読出手段としての演算部８０により構成するようにした場合について述べたが、本発明はこれに限らず、この他種々の構成で非接触ＩＣカードキー３を構成するようにしてもよい。
【産業上の利用可能性】
【０１９１】
本発明は、非接触ＩＣカードを自動車のキーとして利用するシステムにおいて広く利用できる。
【図面の簡単な説明】
【０１９２】
【図１】非接触ＩＣカードキーシステムの全体構成を示す略線図である。
【図２】自動車の電気制御系統の構成を示すブロック図である。
【図３】データベースの構成を示す略線図である。
【図４】ナビゲーション装置の構成を示すブロック図である。
【図５】リーダ／ライタの構成を示すブロック図である。
【図６】非接触ＩＣカードキーの構成を示すブロック図である。
【図７】ＥＥＰＲＯＭの論理フォーマットを示す略線図である。
【図８】ＥＥＰＲＯＭのディレクトリ構造（１）を示す略線図である。
【図９】パーソナルコンピュータＰＣの構成を示すブロック図である。
【図１０】サーバの構成を示すブロック図である。
【図１１】ＥＥＰＲＯＭのディレクトリ構造（２）を示す略線図である。
【図１２】第１の実施の形態における書込処理手順を示すシーケンスチャートである。
【図１３】通信接続確立処理手順を示すシーケンスチャートである。
【図１４】第１の実施の形態における転送処理手順を示すシーケンスチャートである。
【図１５】第２の実施の形態における書込処理手順を示すシーケンスチャートである。
【図１６】第２の実施の形態における転送処理手順（１）を示すシーケンスチャートである。
【図１７】図１６の転送処理手順（１）に続く転送処理手順（２）を示すシーケンスチャートである。
【符号の説明】
【０１９３】
１……非接触ＩＣカードキーシステム、２……自動車、３……非接触ＩＣカードキー、１０……ＥＣＵ、１１、３９、１０８、１２８……通信部、２０、３３、１０３、１２３……記憶部、３０、１００、１２０……ＣＰＵ、３７……表示部、３８……音声出力部、５０、７０……ＩＣ、５１……フラッシュメモリ、５５、７２……アンテナ、５６……制御部、７３……ＲＦインタフェース部、８０……演算部、８４……ＥＥＰＲＯＭ、ＲＷ１、ＲＷ２、ＲＷ３、ＲＷ４……リーダ／ライタ、ＮＶ……ナビゲーション装置、ＰＣ……パーソナルコンピュータ、ＳＶ……サーバ。
【図１】
2005330777.tif 000003
【図２】
2005330777.tif 000004
【図３】
2005330777.tif 000005
【図４】
2005330777.tif 000006
【図５】
2005330777.tif 000007
【図６】
2005330777.tif 000008
【図７】
2005330777.tif 000009
【図８】
2005330777.tif 000010
【図９】
2005330777.tif 000011
【図１０】
2005330777.tif 000012
【図１１】
2005330777.tif 000013
【図１２】
2005330777.tif 000014
【図１３】
2005330777.tif 000015
【図１４】
2005330777.tif 000016
【図１５】
2005330777.tif 000017
【図１６】
2005330777.tif 000018
【図１７】
2005330777.tif 000019